(57)【要約】【課題】  インタフェースを作り直すことなく同一ネットワークシステム内に異なるインタフェースを持つ各ノードを共存させることのできるパケット通信ネットワークシステムを提案する。【解決手段】  ノード間をＡＴＭインタフェースで接続するパケット通信ネットワークシステムで、ＳＶＣ方式とＰＶＣ方式の異なるＡＴＭインタフェースを有するノード１３０、１４０間を、変換ノード１００を介在させて相互に接続し、変換ノード１００が、ＳＶＣ方式で１ＶＣに割り付けられたユーザからのデータを多重化して、ＰＶＣ方式での１ＶＣ上にマッピングし、ＰＶＣ方式で１ＶＣ上にマッピングされた多重化されたデータを分離してＳＶＣ方式でのユーザ単位に割り付けられたＶＣにマッピングする。【選択図】    図１
2005286457.tif 000002
【特許請求の範囲】
【請求項１】
ノード間をＡＴＭインタフェースで接続するパケット通信ネットワークシステムであって、
異なるＡＴＭインタフェースを有するノード間を、変換ノードを介在させて相互に接続し、
前記変換ノードが、一方のＡＴＭインタフェースから伝送されるデータについて、他方のＡＴＭインタフェースの方式によるフォーマットに書き換えて前記他方のＡＴＭインタフェースの回線へ送信することを特徴とするパケット通信ネットワークシステム。
【請求項２】
前記変換ノードは、ＳＶＣ方式で１ＶＣに割り付けられたユーザからのデータを多重化して、ＰＶＣ方式での１ＶＣ上にマッピングし、前記ＰＶＣ方式で１ＶＣ上にマッピングされた多重化されたデータを分離して前記ＳＶＣ方式でのユーザ単位に割り付けられたＶＣにマッピングすることを特徴とする請求項１に記載のパケット通信ネットワークシステム。
【請求項３】
ＩＭＴ−２０００システムにおけるパケット通信において、Ｉｕ／Ｇｎ区間で異なるＡＴＭインタフェースを有するノード間を前記変換ノードにて相互接続することを特徴とする請求項１に記載のパケット通信ネットワークシステム。
【請求項４】
前記変換ノードは、Control Plane上のコネクション情報を常時モニターし、ＶＣ毎に受信するデータの送信先ＶＣを自動的に決定する手段を備えることを特徴とする請求項２に記載のパケット通信ネットワークシステム。
【請求項５】
ＳＶＣ方式で統一されたネットワークシステムのノード間を、前記変換ノードで相互に接続し、ＰＶＣ方式に統一したネックワークシステムとすることを特徴とする請求項１から請求項４に記載のパケット通信ネットワークシステム。
【請求項６】
前記変換ノードにＩＰルータ機能を設け、前記変換ノードを介して、ＳＶＣ方式のノードをＩＰ網に接続することを特徴とする請求項１から請求項４に記載のパケット通信ネットワークシステム。
【請求項７】
前記変換ノードが、
Ｃ−ＰｌａｎｅとＵ−Ｐｌａｎｅの分離と多重処理を行なうと共に、パケットからコネクション情報を抽出する分離多重部と、
スイッチ回路のパス設定を行なうと共に、前記抽出されたコネクション情報から変換テーブルを作成して記憶回路に保存するパス制御管理回路と、
受信したパケットから送信先／送信元ノードのＩＰアドレス、ＴＥＩＤ、ＶＰＩ／ＶＣＩ値を抽出し、前記変換テーブルを検索して送信ＶＰＩ／ＶＣＩ値を割り出し、パケットをＡＴＭセルに分割し、前記割り出したＶＰＩ／ＶＣＩ値に付け替える処理部と
を備えることを特徴とする請求項１から請求項６の何れか１項に記載のパケット通信ネットワークシステム。
【請求項８】
前記記憶装置に保存される前記変換テーブルが、
パス情報の登録の有無を示す項目と、受信フレームの送信先／送信元ノードのＩＰアドレス、ＴＥＩＤ、ＶＰＩ／ＶＣＩ値を登録する項目と、送信フレームの付け替えＶＰＩ／ＶＣＩを登録する項目を含むことを特徴とする請求項７に記載のパケット通信ネットワークシステム。
【請求項９】
ノード間をＡＴＭインタフェースで接続するパケット通信ネットワークシステム上のノードであって、
異なるＡＴＭインタフェースを有するノード間を相互に接続し、
一方のＡＴＭインタフェースから伝送されるデータについて、他方のＡＴＭインタフェースの方式によるフォーマットに書き換えて前記他方のＡＴＭインタフェースの回線へ送信することを特徴とするノード。
【請求項１０】
ＳＶＣ方式で１ＶＣに割り付けられたユーザからのデータを多重化して、ＰＶＣ方式での１ＶＣ上にマッピングし、前記ＰＶＣ方式で１ＶＣ上にマッピングされた多重化されたデータを分離して前記ＳＶＣ方式でのユーザ単位に割り付けられたＶＣにマッピングすることを特徴とする請求項９に記載のノード。
【請求項１１】
Control Plane上のコネクション情報を常時モニターし、ＶＣ毎に受信するデータの送信先ＶＣを自動的に決定する手段を備えることを特徴とする請求項１０に記載のノード。
【請求項１２】
Ｃ−ＰｌａｎｅとＵ−Ｐｌａｎｅの分離と多重処理を行なうと共に、パケットからコネクション情報を抽出する分離多重部と、
スイッチ回路のパス設定を行なうと共に、前記抽出されたコネクション情報から変換テーブルを作成して記憶回路に保存するパス制御管理回路と、
受信したパケットから送信先／送信元ノードのＩＰアドレス、ＴＥＩＤ、ＶＰＩ／ＶＣＩ値を抽出し、前記変換テーブルを検索して送信ＶＰＩ／ＶＣＩ値を割り出し、パケットをＡＴＭセルに分割し、前記割り出したＶＰＩ／ＶＣＩ値に付け替える処理部と
を備えることを特徴とする請求項９から請求項１１の何れか１項に記載のノード。
【請求項１３】
前記記憶装置に保存される前記変換テーブルが、
パス情報の登録の有無を示す項目と、受信フレームの送信先／送信元ノードのＩＰアドレス、ＴＥＩＤ、ＶＰＩ／ＶＣＩ値を登録する項目と、送信フレームの付け替えＶＰＩ／ＶＣＩを登録する項目を含むことを特徴とする請求項１２に記載のノード。
【請求項１４】
ノード間をＡＴＭインタフェースで接続するパケット通信ネットワークシステム上のノード上で実行されるノード間接続プログラムであって、
異なるＡＴＭインタフェースを有するノード間を相互に接続する機能と、
一方のＡＴＭインタフェースから伝送されるデータについて、他方のＡＴＭインタフェースの方式によるフォーマットに書き換えて前記他方のＡＴＭインタフェースの回線へ送信する機能を有することを特徴とするノード間接続プログラム。
【請求項１５】
ＳＶＣ方式で１ＶＣに割り付けられたユーザからのデータを多重化して、ＰＶＣ方式での１ＶＣ上にマッピングする機能と、前記ＰＶＣ方式で１ＶＣ上にマッピングされた多重化されたデータを分離して前記ＳＶＣ方式でのユーザ単位に割り付けられたＶＣにマッピングする機能を有することを特徴とする請求項１４に記載のノード間接続プログラム。
【請求項１６】
Control Plane上のコネクション情報を常時モニターし、ＶＣ毎に受信するデータの送信先ＶＣを自動的に決定する機能を有することを特徴とする請求項１５に記載のノード間接続プログラム。
【請求項１７】
Ｃ−ＰｌａｎｅとＵ−Ｐｌａｎｅの分離と多重処理を行なうと共に、パケットからコネクション情報を抽出する分離多重機能と、
スイッチ回路のパス設定を行なうと共に、前記抽出されたコネクション情報から変換テーブルを作成して記憶回路に保存するパス制御管理機能と、
受信したパケットから送信先／送信元ノードのＩＰアドレス、ＴＥＩＤ、ＶＰＩ／ＶＣＩ値を抽出し、前記変換テーブルを検索して送信ＶＰＩ／ＶＣＩ値を割り出し、パケットをＡＴＭセルに分割し、前記割り出したＶＰＩ／ＶＣＩ値に付け替える処理機能とを有することを特徴とする請求項１４から請求項１６の何れか１項に記載のノード間接続プログラム。
【請求項１８】
前記記憶装置に保存される前記変換テーブルが、
パス情報の登録の有無を示す項目と、受信フレームの送信先／送信元ノードのＩＰアドレス、ＴＥＩＤ、ＶＰＩ／ＶＣＩ値を登録する項目と、送信フレームの付け替えＶＰＩ／ＶＣＩを登録する項目を含むことを特徴とする請求項１７に記載のノード間接続プログラム。
【発明の詳細な説明】
【技術分野】
【０００１】
本発明は、パケット通信ネットワークシステム及びノードに関し、特に、同一ネットワークシステム内に異なるインタフェースを持つ各ノードを共存させることのできるパケット通信ネットワークシステム及びノードに関する。
【背景技術】
【０００２】
ＩＴＵ（International Telecommunication Union、国際電気通信連合）で標準化が進められている第３世代の移動通信システムである、ＩＭＴ−２０００システムにおけるパケット通信において、ＡＴＭ（Asynchronous Transfer Mode）で構築したネットワークシステムのＲＮＣ（無線ネットワークコントローラ：Radio Network Controller）、ＳＧＳＮ（Serving GPRS Support Node）、ＧＧＳＮ（Gateway GPRS Support Node）等の各ノード間インタフェースについて、通信の起動の度に、１ユーザを１ＶＣ（Virtual Channel）に割り付けて伝送するＳＶＣ方式と、予め設定したパス（ＶＣ）に複数ユーザーを多重して伝送するＰＶＣ方式の２種類のＡＴＭインタフェースが存在する。
【０００３】
既存のノード間接続構成（ＳＶＣ方式とＰＶＣ方式）について、図２、図３を用いて以下に説明する。
【０００４】
図２は、ＳＶＣ方式で統一されたノード間接続構成図を示す。
【０００５】
図２のノード２００はＲＮＣ（Radio Network Controller）、ノード２２０はＳＧＳＮ（Serving GPRS Support Node）、ノード２４０はＧＧＳＮ（Gateway GPRS Support Node）である。
【０００６】
インターフェース２１０はＩｕ（Interface between the RNS and the core network）インタフェース、インタフェース２３０はＧｎ（Interface between two GSNs within the same PLMN）インタフェースである。
【０００７】
回線２１１、２１２、２１３、．．．２１ｎ及び回線２３１、２３２、２３３、．．．、２３ｎはそれぞれのインターフェースにおけるＵ−Ｐｌａｎｅ用コネクションを示し、ユーザー単位に各回線が割り付けられる。
【０００８】
回線２１ｎはＩｕインタフェース上におけるＣ−Ｐｌａｎｅ用コネクション、回線２３ｎはＧｎインタフェース上におけるＧＴＰ−Ｃ（GTP Control Plane）用コネクションであり、コネクション情報などの制御データが流れる。
【０００９】
図３は、ＰＶＣ方式で統一されたノード間接続構成図を示す。
【００１０】
図３のノード３００はＲＮＣ、ノード３２０はＳＧＳＮ、ノード３４０はＧＧＳＮである。
【００１１】
インターフェース３１０はＩｕインタフェース、インタフェース３３０はＧｎインタフェースである。
【００１２】
回線３１１及び回線３３１はそれぞれのインターフェースにおけるＵ−Ｐｌａｎｅ／Ｃ−Ｐｌａｎｅコネクションである。各回線は複数ユーザー及びコネクション情報をユーザー多重したデータが流れる。
【００１３】
図２及び図３において、ＰＤＮはパケット・データ網（Packet Data Network）である。
【００１４】
これらの２種類の方式には次のような特徴がある。
【００１５】
ＳＶＣ方式は、ユーザー単位にＶＣコネクションを接続し、ＡＴＭ  ＱｏＳ制御をユーザー単位で実施することができるといった特徴を持つ。また、呼毎にＶＣコネクション接続を行っているので呼制御が複雑になるという欠点がある。
【００１６】
ＰＶＣ方式は、予め接続しているＶＣコネクションに対して複数ユーザーを多重させることから、ＳＶＣ方式のように呼毎にパス接続制御を行わないため、呼制御が簡単であるという特徴をもつ。欠点としては、一般的なＡＴＭ  ＱｏＳ制御をユーザー単位に適用することができない点である。
【００１７】
なお、特開平１１−１２２２４７号公報（特許文献１）には、ＳＶＣ接続が確立した状態で、ＡＴＭ交換機からＳＶＣ接続用チャネル識別子を含むセルを受信すると、ＰＶＣ接続用チャネル識別子に変換して、他の装置に送信するＡＴＭ通信システムが開示されている。
【特許文献１】特開平１１−１２２２４７号公報
【発明の開示】
【発明が解決しようとする課題】
【００１８】
従来、ＩＭＴ−２０００システムにおけるパケット通信によるネットワークシステムを構築する際、上述した２種類の方式であるＳＶＣ方式とＰＶＣ方式の何れか一方の方式に統一した各ノード間インタフェースを採用しなければならないという不便があった。
【００１９】
異なる方式のノードを同一ネットワークシステム内で接続することはできない。例えば、ＳＶＣ方式のＲＮＣとＰＶＣ方式のＳＧＳＮを接続させるには、どちらか一方の方式に統一したインタフェースに作り直す必要があった。
【００２０】
上記特許文献１に開示されるＡＴＭ通信システムでは、ＳＶＣ接続用チャネル識別子を含むセルを受信すると、ＰＶＣ接続用チャネル識別子に変換する処理を行なっているが、ＳＶＣ方式のデータを多重化して、ＰＶＣ方式でマッピングし、ＰＶＣ方式の多重化されたデータをＳＶＣ方式でマッピングするといった処理は行なわれておらず、同一ネットワークシステム内に異なるインタフェースを持つ各ノードをインタフェースを作り直すことなく共存させるのに不都合がある。
【００２１】
本発明の目的は、インタフェースを作り直すことなく同一ネットワークシステム内に異なるインタフェースを持つ各ノードを共存させることのできるパケット通信ネットワークシステム、ノードを提案することにある。
【課題を解決するための手段】
【００２２】
上記目的を達成するための本発明は、ノード間をＡＴＭインタフェースで接続するパケット通信ネットワークシステムであって、異なるＡＴＭインタフェースを有するノード間を、変換ノードを介在させて相互に接続し、前記変換ノードが、一方のＡＴＭインタフェースから伝送されるデータについて、他方のＡＴＭインタフェースの方式によるフォーマットに書き換えて前記他方のＡＴＭインタフェースの回線へ送信することを特徴とする。
【００２３】
請求項２の本発明のパケット通信ネットワークシステムは、前記変換ノードは、ＳＶＣ方式で１ＶＣに割り付けられたユーザからのデータを多重化して、ＰＶＣ方式での１ＶＣ上にマッピングし、前記ＰＶＣ方式で１ＶＣ上にマッピングされた多重化されたデータを分離して前記ＳＶＣ方式でのユーザ単位に割り付けられたＶＣにマッピングすることを特徴とする。
【００２４】
請求項３の本発明のパケット通信ネットワークシステムは、ＩＭＴ−２０００システムにおけるパケット通信において、Ｉｕ／Ｇｎ区間で異なるＡＴＭインタフェースを有するノード間を前記変換ノードにて相互接続することを特徴とする。
【００２５】
請求項４の本発明のパケット通信ネットワークシステムは、前記変換ノードは、Control Plane上のコネクション情報を常時モニターし、ＶＣ毎に受信するデータの送信先ＶＣを自動的に決定する手段を備えることを特徴とする。
【００２６】
請求項５の本発明のパケット通信ネットワークシステムは、ＳＶＣ方式で統一されたネットワークシステムのノード間を、前記変換ノードで相互に接続し、ＰＶＣ方式に統一したネックワークシステムとすることを特徴とする。
【００２７】
請求項６の本発明のパケット通信ネットワークシステムは、前記変換ノードにＩＰルータ機能を設け、前記変換ノードを介して、ＳＶＣ方式のノードをＩＰ網に接続することを特徴とする。
【００２８】
請求項７の本発明のパケット通信ネットワークシステムは、前記変換ノードが、Ｃ−ＰｌａｎｅとＵ−Ｐｌａｎｅの分離と多重処理を行なうと共に、パケットからコネクション情報を抽出する分離多重部と、スイッチ回路のパス設定を行なうと共に、前記抽出されたコネクション情報から変換テーブルを作成して記憶回路に保存するパス制御管理回路と、受信したパケットから送信先／送信元ノードのＩＰアドレス、ＴＥＩＤ、ＶＰＩ／ＶＣＩ値を抽出し、前記変換テーブルを検索して送信ＶＰＩ／ＶＣＩ値を割り出し、パケットをＡＴＭセルに分割し、前記割り出したＶＰＩ／ＶＣＩ値に付け替える処理部とを備えることを特徴とする。
【００２９】
請求項８の本発明のパケット通信ネットワークシステムは、前記記憶装置に保存される前記変換テーブルが、パス情報の登録の有無を示す項目と、受信フレームの送信先／送信元ノードのＩＰアドレス、ＴＥＩＤ、ＶＰＩ／ＶＣＩ値を登録する項目と、送信フレームの付け替えＶＰＩ／ＶＣＩを登録する項目を含むことを特徴とする。
【００３０】
請求項９の本発明は、ノード間をＡＴＭインタフェースで接続するパケット通信ネットワークシステム上のノードであって、異なるＡＴＭインタフェースを有するノード間を相互に接続し、一方のＡＴＭインタフェースから伝送されるデータについて、他方のＡＴＭインタフェースの方式によるフォーマットに書き換えて前記他方のＡＴＭインタフェースの回線へ送信することを特徴とする。
【００３１】
請求項１０の本発明のノードは、ＳＶＣ方式で１ＶＣに割り付けられたユーザからのデータを多重化して、ＰＶＣ方式での１ＶＣ上にマッピングし、前記ＰＶＣ方式で１ＶＣ上にマッピングされた多重化されたデータを分離して前記ＳＶＣ方式でのユーザ単位に割り付けられたＶＣにマッピングすることを特徴とする。
【００３２】
請求項１１の本発明のノードは、Control Plane上のコネクション情報を常時モニターし、ＶＣ毎に受信するデータの送信先ＶＣを自動的に決定する手段を備えることを特徴とする。
【００３３】
請求項１２の本発明のノードは、Ｃ−ＰｌａｎｅとＵ−Ｐｌａｎｅの分離と多重処理を行なうと共に、パケットからコネクション情報を抽出する分離多重部と、スイッチ回路のパス設定を行なうと共に、前記抽出されたコネクション情報から変換テーブルを作成して記憶回路に保存するパス制御管理回路と、受信したパケットから送信先／送信元ノードのＩＰアドレス、ＴＥＩＤ、ＶＰＩ／ＶＣＩ値を抽出し、前記変換テーブルを検索して送信ＶＰＩ／ＶＣＩ値を割り出し、パケットをＡＴＭセルに分割し、前記割り出したＶＰＩ／ＶＣＩ値に付け替える処理部とを備えることを特徴とする。
【００３４】
請求項１３の本発明のノードは、前記記憶装置に保存される前記変換テーブルが、パス情報の登録の有無を示す項目と、受信フレームの送信先／送信元ノードのＩＰアドレス、ＴＥＩＤ、ＶＰＩ／ＶＣＩ値を登録する項目と、送信フレームの付け替えＶＰＩ／ＶＣＩを登録する項目を含むことを特徴とする。
【００３５】
請求項１４の本発明は、ノード間をＡＴＭインタフェースで接続するパケット通信ネットワークシステム上のノード上で実行されるノード間接続プログラムであって、異なるＡＴＭインタフェースを有するノード間を相互に接続する機能と、一方のＡＴＭインタフェースから伝送されるデータについて、他方のＡＴＭインタフェースの方式によるフォーマットに書き換えて前記他方のＡＴＭインタフェースの回線へ送信する機能を有することを特徴とする。
【００３６】
請求項１５の本発明のノード間接続プログラムは、ＳＶＣ方式で１ＶＣに割り付けられたユーザからのデータを多重化して、ＰＶＣ方式での１ＶＣ上にマッピングする機能と、前記ＰＶＣ方式で１ＶＣ上にマッピングされた多重化されたデータを分離して前記ＳＶＣ方式でのユーザ単位に割り付けられたＶＣにマッピングする機能を有することを特徴とする。
【００３７】
請求項１６の本発明のノード間接続プログラムは、Control Plane上のコネクション情報を常時モニターし、ＶＣ毎に受信するデータの送信先ＶＣを自動的に決定する機能を有することを特徴とする。
【００３８】
請求項１７の本発明のノード間接続プログラムは、Ｃ−ＰｌａｎｅとＵ−Ｐｌａｎｅの分離と多重処理を行なうと共に、パケットからコネクション情報を抽出する分離多重機能と、スイッチ回路のパス設定を行なうと共に、前記抽出されたコネクション情報から変換テーブルを作成して記憶回路に保存するパス制御管理機能と、受信したパケットから送信先／送信元ノードのＩＰアドレス、ＴＥＩＤ、ＶＰＩ／ＶＣＩ値を抽出し、前記変換テーブルを検索して送信ＶＰＩ／ＶＣＩ値を割り出し、パケットをＡＴＭセルに分割し、前記割り出したＶＰＩ／ＶＣＩ値に付け替える処理機能とを有することを特徴とする。
【００３９】
請求項１８の本発明のノード間接続プログラムは、前記記憶装置に保存される前記変換テーブルが、パス情報の登録の有無を示す項目と、受信フレームの送信先／送信元ノードのＩＰアドレス、ＴＥＩＤ、ＶＰＩ／ＶＣＩ値を登録する項目と、送信フレームの付け替えＶＰＩ／ＶＣＩを登録する項目を含むことを特徴とする。
【発明の効果】
【００４０】
本発明のパケット通信ネットワークシステムによれば、以下のような優れた効果が得られる。
【００４１】
本発明の変換ノードを導入することにより、ＩＭＴ−２０００システムにおけるパケット通信において、ＲＮＣ、ＳＧＳＮ、ＧＧＳＮ等の、ノード間インタフェースが異なるインタフェースを持つノード間を、双方のノードを修正、変更させることなく、同一ネットワークシステム内に異なるインタフェースをもつ各ノードを共存させることが可能となる。
【００４２】
また、ＳＶＣ方式とＰＶＣ方式のそれぞれの長所を活かしたネットワークシステムの構築が可能となる。
【実施例】
【００４３】
以下、本発明の好適な実施例について図面を参照して詳細に説明する。
【００４４】
図１は、本発明の一実施例によるパケット通信ネットワークシステムの構成を示す図である。
【００４５】
図１において、変換ノード１００は、本発明を適用したノード、ノード１３０は、ＳＶＣ（Switched Virtual Connection）方式のノード、ノード１４０はＰＶＣ（Permanent Virtual Connection）方式のノードである。
【００４６】
インターフェース１１０は、ＳＶＣ方式によるインタフェース、インタフェース１２０は、ＰＶＣ方式によるインタフェースである。
【００４７】
回線１１１、１１２、１１３、．．．１１ｎは、インタフェース１１０におけるＵ−Ｐｌａｎｅ(User Plane)用コネクションである。この回線１１１、１１２、１１３、．．．１１ｎは、回線毎に１ユーザが割り付けられ、当該ユーザに対するユーザデータが伝送される。
【００４８】
回線１５０は、コネクション情報などの制御データが伝送される回線であり、インタフェース１１０におけるＣ−Ｐｌａｎｅ用コネクションである。
【００４９】
一方、回線１２１は、制御データ及び複数ユーザーを多重したデータが伝送される回線であり、インタフェース１２０におけるＣ−Ｐｌａｎｅ／Ｕ−Ｐｌａｎｅ用コネクションである。
【００５０】
変換ノード１００は、情報抽出回路１０１、パス制御管理回路１０２、ＡＴＭのスイッチ（Switch）回路１０４、記憶装置１０３を備えて構成される。
【００５１】
また、情報抽出回路１０１は、Ｃ／Ｕ分離多重部１０１−１と、Ｃ−Ｐｌａｎｅ処理部１０１−２及びＵ−Ｐｌａｎｅ処理部１０１−３とで構成されている。
【００５２】
Ｃ／Ｕ分離多重部１０１−１は、インタフェース１２０の回線１２１上に多重されたＣ−ＰｌａｎｅとＵ−Ｐｌａｎｅの分離処理と回線１２１上へのＣ−Ｐｌａｎｅ、Ｕ−Ｐｌａｎｅ多重処理を行う。
【００５３】
このＣ／Ｕ分離多重部１０１−１による処理は、ＰＶＣ方式側のインタフェース１２０だけに対して実行される。
【００５４】
Ｃ−ＰｌａｎｅとＵ−Ｐｌａｎｅの分離処理では、スイッチ回路１０４から受信するＡＴＭセルに分割されたパケットを組み立て、そのパケットからＣ−Ｐｌａｎｅ／Ｕ−Ｐｌａｎｅ識別子を抽出し、Ｃ−ＰｌａｎｅとＵ−Ｐｌａｎｅの分離を行う。識別子としては、送信先ＩＰアドレスまたは受信したＡＴＭセルのＶＣＩ値などがあるが、ノード間で決められた識別子を使用し、初期設定情報として保持することでＣ−ＰｌａｎｅとＵ−Ｐｌａｎｅの分離が可能となる。
【００５５】
分離したパケットは、そのままＣ−Ｐｌａｎｅ処理部１０１−２またはＵ−Ｐｌａｎｅ処理部１０１−３に対し、受信時のＡＴＭセルヘッダにあるＶＰＩ／ＶＣＩ値と一緒に引き渡される。
【００５６】
多重処理では、Ｃ−Ｐｌａｎｅ処理部１０１−２及びＵ−Ｐｌａｎｅ処理部１０１−３から受信したパケットの送信先ＶＰＩ／ＶＣＩ値を基に、パケットをＡＴＭセルに分割し、送信先ＶＰＩ／ＶＣＩ値を付け替えてスイッチ回路１０４経由でインタフェース１２０の回線１２１に送信する。
【００５７】
Ｃ−Ｐｌａｎｅ処理部１０１−２は、インタフェース１１０の回線１５０から受信するＡＴＭセルに分割されたパケットの組み立てを行い、組み立てたパケットからコネクション情報を抽出し、送信先ノード１４０のＣ−Ｐｌａｎｅフォーマットに書き換えたパケットと送信先ＶＰＩ／ＶＣＩ値をＣ／Ｕ分離多重部１０１−１へ渡す。
【００５８】
インタフェース１２０からのＣ−Ｐｌａｎｅは、Ｃ／Ｕ分離多重部１０１−１からパケットに組み立てられた状態で受信されるので、コネクション情報の抽出を行い、送信先ノード１３０のＣ−Ｐｌａｎｅフォーマットに書き換えたパケットをＡＴＭセルに分割してスイッチ回路１０４経由でインタフェース１１０の回線１５０へ送信する。
【００５９】
抽出したコネクション情報は、パス制御管理回路１０２へ引き渡される。
【００６０】
パス制御管理回路１０２では、スイッチ回路１０４のパス設定を行い、情報抽出回路１０１からのコネクション情報を基に変換テーブル７００を作成し、作成した変換テーブル７００を記憶装置１０３に保存する。
【００６１】
一方、Ｕ−Ｐｌａｎｅ処理部１０１−３では、インタフェース１１０の回線からスイッチ回路１０４経由で受信するＡＴＭセルに分割されたパケットの組み立てを行い、組み立てたパケットから送信先／送信元ＩＰアドレス、ＧＴＰ（General Packet Radio Service Tunnelling Protocol）ヘッダに格納されているＴＥＩＤ（Tunnel Endpoint IDentifier）値を抽出し、抽出データと記憶装置１０３のデータを基に、コネクションの有無及び送信先ＶＰＩ／ＶＣＩ値を割り出す。
【００６２】
コネクション有りの場合、パケットと割り出した送信先ＶＰＩ／ＶＣＩ値をＣ／Ｕ分離多重部１０１−１へ渡す。インタフェース１２０からのＵ−ＰｌａｎｅはＣ／Ｕ分離多重部１０１−１からパケットに組み立てられた状態で受信されるので、送信先／送信元ＩＰアドレス、ＧＴＰヘッダに格納されているＴＥＩＤ値を抽出し、抽出データと記憶装置１０３のデータを基に、コネクションの有無及び送信先ＶＰＩ／ＶＣＩ値を割り出す。
【００６３】
そして、パケットをＡＴＭセルに分解し、割り出した送信先ＶＰＩ／ＶＣＩ値に付け替えてスイッチ回路１０４経由でインタフェース１１０の回線１５０へ送信する。
【００６４】
記憶装置１０３は、一般的なメモリであるため、詳細な説明を省略する。スイッチ回路１０４も、一般的なＡＴＭ−ＳＷ（スイッチ）回路と同じ構成であるため、詳細な説明は省略する。
【００６５】
図４は、図１で示した記憶装置１０３に保存される変換テーブル７００の設定内容例を示す。
【００６６】
変換テーブル７００のテーブル項目は、登録有無、受信フレーム情報、送信フレーム情報で構成される。
【００６７】
登録有無には、パス情報が登録／修正された場合に「有」、切断／初期値の場合は「無」が設定される。
【００６８】
受信フレーム情報には、受信データフレームが正常なパスから受信したものか、送信先ノードＩＰはあっているか、などの照合をするためのデータを登録する。
【００６９】
送信フレーム情報には、送信データフレームの付け替えＶＰＩ／ＶＣＩを登録する。
【００７０】
図４に示す変換テーブル７００内のテーブル項目は一例であって、この他にコネクションに関する情報を追加しても良い。また、コネクション照合、更新時の効率化を考慮し、検索項目を設けることもできる。
【００７１】
以下、本実施例の動作について図１の接続構成を用いて説明する。
【００７２】
図１の本発明を適用した変換ノード１００を、ノード１２０及びノード１４０と物理的に接続すると、初期設定動作として、変換ノード１００のパス制御管理回路１０２が、記憶装置１０３に保存されている初期設定パス情報に基づいてスイッチ回路１０４のパス接続を行う。
【００７３】
記憶装置１０３に保存される初期設定パス情報では、変換ノード１００の情報抽出回路１０１のＵ−Ｐｌａｎｅ処理部１０１−３とインタフェース１１０の回線１１１、１１２、１１３、．．．、１１ｎ、情報抽出回路１０１のＣ−Ｐｌａｎｅ処理部１０１−２とインタフェース１１０の回線１５０、情報抽出回路１０１のＣ／Ｕ分離多重部１０１−１とインタフェース１２０の回線１２１を接続させる設定がされている。また、情報抽出回路１０１のＣ／Ｕ分離多重部１０１−１にＣ−Ｐｌａｎｅ／Ｕ−Ｐｌａｎｅ識別子を設定しておく。
【００７４】
これらの初期設定パス情報により、インタフェース１１０及びインタフェース１２０上を流れるＣ−Ｐｌａｎｅを変換ノード１００の情報抽出回路１０１のＣ−Ｐｌａｎｅ処理部１０１−２でモニターすることが可能となる。
【００７５】
変換ノード１００の情報抽出回路１０１のＣ−Ｐｌａｎｅ処理部１０１−２では、Ｕ−Ｐｌａｎｅコネクション情報（ＶＰＩ／ＶＣＩ値、送信先／送信元ノードＩＰアドレス、ＴＥＩＤ）を抽出する。抽出されたＵ−Ｐｌａｎｅコネクション情報は、パス制御管理回路１０２へ引き渡される。
【００７６】
変換ノード１００のパス制御管理回路１０２では、送られたＵ−Ｐｌａｎｅコネクション情報からＵ−Ｐｌａｎｅの変換テーブル７００を作成し、記憶装置１０３に保存する。
【００７７】
初期設定で、インタフェース１１０及びインタフェース１２０のＵ−Ｐｌａｎｅは、情報抽出回路１０１のＵ−Ｐｌａｎｅ処理部１０１−３に流れるようパス設定してあるので、Ｕ−Ｐｌａｎｅ処理部１０１−３では、受信したＡＴＭセルをパケットに組み立て、そのパケットから送信先／送信元ノードＩＰアドレス、ＴＥＩＤ、ＶＰＩ／ＶＣＩ値を抽出し、記憶装置１０３の変換テーブル７００から抽出データを基に検索し、送信ＶＰＩ／ＶＣＩ値を割り出し、パケットをＡＴＭセルに分割し、割り出したＶＰＩ／ＶＣＩ値に付け替えて送信先のノードの回線へスイッチ回路１０４経由で送信する。
【００７８】
図４に示す変換テーブル７００の設定例を用いて、テーブル作成方法と動作を以下に示す。
【００７９】
例えば、ノード１３０からノード１４０へＶＰＩ＝０／ＶＣＩ＝５、ＴＥＩＤ＝１０、送信先ノードＩＰ＝１０．１．１．１、送信元ノードＩＰアドレス＝２０．１．１．１のコネクション情報と、ノード１４０からノード１３０へＶＰＩ＝１／ＶＣＩ＝１、ＴＥＩＤ＝２０、送信先ノードＩＰ＝２０．１．１．１、送信元ノードＩＰアドレス＝１０．１．１．１のコネクション情報が流れた場合について説明する。
【００８０】
まず、情報抽出回路１０１のＣ−Ｐｌａｎｅ処理部１０１−２でコネクション情報を抽出し、パス制御管理回路１０２へ引き渡す。
【００８１】
パス制御管理回路１０２では、コネクション情報を基に、受信フレーム情報と送信フレーム情報を変換テーブル７００内に登録する。受信フレーム情報には、Ｕ−Ｐｌａｎｅ受信時の照合に用いるＶＰＩ／ＶＣＩ値、ＴＥＩＤ値及び送信先／送信元ノードＩＰアドレスを、送信フレーム情報には照合後の送信先ＶＰＩ／ＶＣＩ値をそれぞれ登録する。そして、最後に登録有無の項目を「有」に設定する。切断時には、登録有無の項目を「無」と変更するだけで、コネクションの有無を簡単に判別できるようにしておく。
【００８２】
次に、Ｕ−Ｐｌａｎｅがノード１３０からノード１４０へ送信された場合の動作について説明する。
【００８３】
ノード１３０から送信されたＵ−Ｐｌａｎｅは、情報抽出回路１０１のＵ−Ｐｌａｎｅ処理部１０１−３でパケットに組み立てられ、受信フレーム情報を抽出する。抽出した受信フレーム情報のＶＰＩ／ＶＣＩ値から、記憶装置１０３の変換テーブル７００の受信フレーム情報内のＶＰＩ／ＶＣＩ項目に、該当する値が登録されているか検索する。
【００８４】
該当する項目が検索されれば、受信フレーム情報内のＴＥＩＤ値、送信先／送信元ノードＩＰアドレス値の照合を行い、全ての項目が合っていれば送信フレーム情報のＶＰＩ／ＶＣＩ値を用いて、パケットをＡＴＭセルに分割してスイッチ回路１０４経由でノード１４０へ送信する。
【００８５】
上記実施例に示した変換ノード１００については、情報抽出回路１０１、パス制御管理回路１０２の各機能は、例えばコンピュータ装置に上述した機能を持たせることによって実現することができる。具体的には、コンピュータ装置に上記機能を備えたハードウェアユニットを搭載することで実現してもよいし、上記各機能をソフトウェア的に達成するプログラム（ノード間接続プログラム）をコンピュータ装置上で実行することで実現してもよい。
【００８６】
変換ノード１００の情報抽出回路１０１、パス制御管理回路１０２の各機能をソフトウェア的に実現する場合には、プログラム制御可能なコンピュータ処理装置（ＣＰＵ）上で、各回路の機能を実現するプログラム（アプリケーション）であるノード間接続プログラムをロードして実行する。このプログラムは、磁気ディスク、半導体メモリその他の記録媒体に格納され、その記録媒体からコンピュータ処理装置にロードされ、コンピュータ処理装置の動作を制御することにより、各回路としての固有の機能を達成する。
【００８７】
以上説明したように、本実施例の変換ノードを導入することにより、ＩＭＴ−２０００システムにおけるパケット通信において、ＲＮＣ、ＳＧＳＮ、ＧＧＳＮ等の、ノード間インタフェースが異なるインタフェースを持つノード間を、双方のノードを修正、変更させることなく、同一ネットワークシステム内に異なるインタフェースをもつ各ノードを共存させることが可能となる。
【００８８】
また、ＳＶＣ方式とＰＶＣ方式のそれぞれの長所を活かしたネットワークシステムの構築が可能となる。
【００８９】
なお、本発明は上記の実施例に限定されるものではなく、図２のＳＶＣ方式で統一されたネットワークシステムで、本発明を適用することで、ＰＶＣ方式に統一したネックワークシステムとすることで、ノード間伝送路の通信コストを低減させることも可能である。
【００９０】
図５にＳＶＣ方式をＰＶＣ方式に統一したネックワークシステム構成図を示す。
【００９１】
図５に示すネットワーク構成において、ノード５２０、ノード５４０、ノード５８０、ノード５ａ０は、本発明を適用した変換ノードである。図５のインタフェース５１０、インタフェース５３０、インタフェース５５０は、Ｉｕインタフェース、図５のインタフェース５７０、インタフェース５９０、インタフェース５ｂ０はＧｎインタフェースである。
【００９２】
また、本発明を適用したノード内にＩＰルータ機能を追加することにより、ＳＶＣ方式では困難であったＩＰ網への接続を容易に行なえるようにした接続構成例を図６に示す。
【００９３】
図６にはＩＰ網に本発明を適用したノードを介して接続した場合のネットワーク構成例を示す。
【００９４】
ノード６００、ノード６０１、ノード６０２、ノード６０３は、本発明を適用した変換ノードであり、それぞれルータＩＦ（インタフェース）８００を介してＩＰ網９００に接続されている。ノード６１０、ノード６１１及びノード６２０、ノード６２１は、ＳＶＣ方式のノードである。
【００９５】
ＩＰ網がＩｕインタフェースの場合、ノード６１０、ノード６１１はＲＮＣを示し、ノード６２０、ノード６２１はＳＧＳＮとなり、Ｇｎの場合は、ノード６１０、ノード６１１はＳＧＳＮとなり、ノード６２０、ノード６２１がＧＧＳＮとなる。
【００９６】
以上好ましい複数の実施例をあげて本発明を説明したが、本発明は必ずしも、上記実施例に限定されるものでなく、その技術的思想の範囲内において様々に変形して実施することができる。
【図面の簡単な説明】
【００９７】
【図１】本発明の実施例によるＳＶＣ方式のノードとＰＶＣ方式のノード接続とを接続したネットワーク構成を示す図である。
【図２】ＳＶＣ方式で統一されたネットワークシステム構成を示す図である。
【図３】ＰＶＣ方式で統一されたネットワークシステム構成を示す図である。
【図４】本発明の実施例による変換テーブルの設定例を示す図である。
【図５】本発明を適用してＳＶＣ方式をＰＶＣ方式に統一したネックワークシステム構成を示す図である。
【図６】ＩＰ網に本発明を適用した変換ノードを介して接続した場合のネットワーク構成例を示す図である。
【符号の説明】
【００９８】
１００：変換ノード
１３０、１４０：ノード
１１０、１２０：インタフェース
１１１〜１１ｎ、１２１、１５０：回線
１０１：情報抽出回路
１０１−１：Ｃ／Ｕ分離多重部
１０１−２：Ｃ−Ｐｌａｎｅ処理部
１０１−３：Ｕ−Ｐｌａｎｅ処理部
１０２：パス制御管理回路
１０３：記憶装置
１０４：スイッチ回路
５００、５６０：ノード
５２０、５４０、５８０、５ａ０：変換ノード
５１０、５３０、５５０、５７０、５９０、５ｂ０：回線
６００、６０１、６０２、６０３：変換ノード
６１０、６１１、６２０、６２１：ノード
８００：ルータＩＦ
９００：ＩＰ網
【図１】
2005286457.tif 000003
【図２】
2005286457.tif 000004
【図３】
2005286457.tif 000005
【図４】
2005286457.tif 000006
【図５】
2005286457.tif 000007
【図６】
2005286457.tif 000008